(57)【特許請求の範囲】
【請求項１】
接続線を介して携帯端末装置に対して電力を供給するとともに情報の送受信を行う接続手段と、
前記接続手段を介して接続された第１の携帯端末装置の動作を継続するために必要な第１の継続情報を取得する継続情報取得手段と、
前記接続手段を介した前記第１の携帯端末装置との間の接続が切断された後に第２の携帯端末装置が接続されたときに、携帯端末装置の機種の相違を判定する機種判定手段と、
前記機種判定手段によって異なる機種である旨の判定が行われたときに、前記継続情報取得手段によって取得された第１の継続情報を、新たに接続された前記第２の携帯端末装置の機種に対応する第２の継続情報に変換する継続情報変換手段と、
前記機種判定手段によって異なる機種である旨の判定が行われたときに、前記第２の継続情報を前記第２の携帯端末装置に向けて送信するとともに、接続切断前に前記第１の携帯端末装置によって実行中の処理の継続を前記第２の携帯端末装置に対して指示する処理継続指示手段と、
を備えることを特徴とする車載装置。
【請求項２】
請求項１において、
前記処理継続指示手段は、前記機種判定手段によって同じ機種である旨の判定が行われたときに、前記第１の継続情報を前記第２の携帯端末装置に向けて送信するとともに、接続切断前に前記第１の携帯端末装置によって実行中の処理の継続を前記第２の携帯端末装置に対して指示することを特徴とする車載装置。
【請求項３】
請求項１または２において、
前記機種判定手段は、使用しているオペレーティングシステムに基づいて機種の相違を判定することを特徴とする車載装置。
【請求項４】
請求項１〜３のいずれか一項において、
接続前に前記第１の携帯端末装置によって実行中の処理は、地図アプリケーションを実行することにより行われる地図表示処理および目的地までの車両の走行経路を案内する処理の少なくとも一方であることを特徴とする車載装置。
【請求項５】
請求項１〜４のいずれか一項において、
前記接続手段を介した前記第２の携帯端末装置との間の接続が接続された後、再度前記第１の携帯端末装置が接続され、その時点でこの第１の携帯端末装置で実行していた前回の処理が終了していた場合に、処理継続指示手段は、この前回の処理の起動を指示した後、接続を再開した前記第１の携帯端末装置に向けて前記第１の継続情報を送信するとともに、前回の処理の継続を前記第１の携帯端末装置に対して指示することを特徴とする車載装置。
【請求項６】
請求項１〜５のいずれか一項において、
前記処理継続指示手段は、前記接続手段を介した前記第１の携帯端末装置との間の接続が切断された後に前記第２の携帯端末装置が接続されるまでの時間が所定時間以内の場合に、前記第２の継続情報の送信および処理の継続指示を行うことを特徴とする車載装置。
【発明の詳細な説明】
【技術分野】
【０００１】
本発明は、接続された携帯端末装置に対して充電を行う車載装置に関する。
【背景技術】
【０００２】
車載装置によって一定時間毎に継続情報を格納し、携帯端末装置との間の接続が切断されたときに、接続可能な他の携帯端末装置との間で接続を行って車載装置から継続情報を提供し、この新たに接続された携帯端末装置を用いて処理を継続するようにした構成が知られている（例えば、特許文献１参照。）。これにより、充電のために他の携帯端末装置に接続先を切り替えた場合などでも、切り替えた際に地図表示等の処理を継続することが可能となる。
【先行技術文献】
【特許文献】
【０００３】
【特許文献１】特開２０１２−２２２３６７号公報
【発明の概要】
【発明が解決しようとする課題】
【０００４】
ところで、上述した特許文献１に開示された車載装置では、携帯端末装置との間の接続が切断される前に格納しておいた継続情報を読み出して、新たに接続された別の携帯端末装置に送っている。このため、携帯端末装置側では、車載装置から継続情報が送られてきたときにこの継続情報の内容が理解できることが前提となっており、特に、切り替えの前後でＯＳ（オペレーティングシステム）が異なる場合には、同じ継続情報を共有することができず、同じ内容の情報の再設定を行うことになるため、同種の処理を継続する場合の操作が煩雑になるという問題があった。
【０００５】
本発明は、このような点に鑑みて創作されたものであり、その目的は、充電を行うために接続される携帯端末装置を変更した際に同種の処理を継続するために煩雑な操作が不要となる車載装置を提供することにある。
【課題を解決するための手段】
【０００６】
上述した課題を解決するために、本発明の車載装置は、接続線を介して携帯端末装置に対して電力を供給するとともに情報の送受信を行う接続手段と、接続手段を介して接続された第１の携帯端末装置の動作を継続するために必要な第１の継続情報を取得する継続情報取得手段と、接続手段を介した第１の携帯端末装置との間の接続が切断された後に第２の携帯端末装置が接続されたときに、携帯端末装置の機種の相違を判定する機種判定手段と、機種判定手段によって異なる機種である旨の判定が行われたときに、継続情報取得手段によって取得された第１の継続情報を、新たに接続された第２の携帯端末装置の機種に対応する第２の継続情報に変換する継続情報変換手段と、機種判定手段によって異なる機種である旨の判定が行われたときに、第２の継続情報を第２の携帯端末装置に向けて送信するとともに、接続切断前に第１の携帯端末装置によって実行中の処理の継続を第２の携帯端末装置に対して指示する処理継続指示手段とを備えている。
【０００７】
接続先の携帯端末装置を変更したときのそれらの機種の異同を判定し、機種が異なる場合に変更後の機種に合わせて継続情報を変換し、変更後の携帯端末装置によって処理を継続するようにしている。このため、充電を行うために携帯端末装置を変更した際に、同種の処理を継続する場合であっても、同じ内容の情報の再設定を行うなどの煩雑な操作が不要となる。
【０００８】
また、上述した処理継続指示手段は、機種判定手段によって同じ機種である旨の判定が行われたときに、第１の継続情報を第２の携帯端末装置に向けて送信するとともに、接続切断前に第１の携帯端末装置によって実行中の処理の継続を第２の携帯端末装置に対して指示することが望ましい。接続先の携帯端末装置を同じ機種の携帯端末装置に切り替えた場合には、切り替え前に取得した継続情報を切替後の携帯端末装置で用いることができるため、継続情報の変換が不要であって、必要に応じて処理の簡略化が可能となる。
【０００９】
また、上述した機種判定手段は、使用しているオペレーティングシステムに基づいて機種の相違を判定することが望ましい。これにより、使用するオペレーティングシステムが異なる携帯端末装置を充電するために接続を変更した場合であっても、煩雑な操作を行うことなく同様の処理を継続することが可能となる。
【００１０】
また、接続前に第１の携帯端末装置によって実行中の処理は、地図アプリケーションを実行することにより行われる地図表示処理および目的地までの車両の走行経路を案内する処理の少なくとも一方であることが望ましい。これにより、地図表示や走行経路案内を行っている携帯端末装置の接続を切って、充電のために異なる機種の携帯端末装置を接続した場合に、煩雑な操作を行うことなく地図表示や走行経路案内を継続することが可能となる。
【００１１】
また、上述した接続手段を介した第２の携帯端末装置との間の接続が接続された後、再度第１の携帯端末装置が接続され、その時点でこの第１の携帯端末装置で実行していた前回の処理が終了していた場合に、処理継続指示手段は、この前回の処理の起動を指示した後、接続を再開した第１の携帯端末装置に向けて第１の継続情報を送信するとともに、前回の処理の継続を第１の携帯端末装置に対して指示することが望ましい。これにより、充電が終了して再度元の携帯端末装置を接続した際に同様の処理を再開することが可能となる。
【００１２】
また、上述した処理継続指示手段は、接続手段を介した第１の携帯端末装置との間の接続が切断された後に第２の携帯端末装置が接続されるまでの時間が所定時間以内の場合に、第２の継続情報の送信および処理の継続指示を行うことが望ましい。携帯端末装置の接続を切ってから別の携帯端末装置に切り替えるまでの時間が長いと、処理の継続を希望していないと考えることもできる。このような場合に、別の携帯端末装置を接続した際に、処理の継続を中止する煩雑な操作が不要となる。
【図面の簡単な説明】
【００１３】
【図１】一実施形態の車載システムの全体構成を示す図である。
【図２】車載装置の詳細構成を示す図である。
【図３】車載装置の動作手順を示す流れ図である。
【図４】車載装置の変形例の動作手順を示す流れ図である。
【発明を実施するための形態】
【００１４】
以下、本発明を適用した一実施形態の車載システムについて、図面を参照しながら説明する。図１は、一実施形態の車載システムの全体構成を示す図である。図１に示す車載システムは、相互にＵＳＢ（Universal Serial Bus）ケーブルを介して接続された携帯端末装置１０Ａと車載装置５０とを有する。携帯端末装置１０Ａに備わった地図アプリケーションを用いて作成した地図データなどが車載装置５０に送られて車載装置５０に備わった表示部において地図表示や走行経路案内などが行われる。また、車載装置５０から携帯端末装置１０Ａに対して電力供給が行われ、携帯端末装置１０Ａにおける二次電池の充電が行われる。
【００１５】
携帯端末装置１０Ａは、一般にスマートフォンと称されるものであり、携帯電話機と携帯情報端末の機能を有する。この携帯端末装置１０Ａは、制御部１２、操作部１４、表示部１６、電話処理部１８、メモリ２０、ＵＳＢインタフェース部（ＵＳＢ  Ｉ／Ｆ）２２、充電回路２４、二次電池２６、電源回路２８を備えている。
【００１６】
制御部１２は、携帯端末装置１０Ａの全体を制御するためのものであり、ＣＰＵを含んで構成されている。この制御部１２の動作は、この携帯端末装置１０Ａに対応する所定のオペレーティングシステム（ＯＳ）１３を用いて実現されている。
【００１７】
操作部１４は、テンキーやその他のキーおよび各種のスイッチを含んでおり、利用者の操作指示や各種の入力を受け付ける。タッチパネルで構成した操作部１４を用いて、画面に表示したテンキー等を利用者が指等で指し示すようにしてもよい。
【００１８】
表示部１６は、ＬＣＤ（液晶表示装置）等で構成されており、操作部１４を用いた操作内容や制御部１２による制御内容および処理内容（地図表示等）などが表示される。
【００１９】
電話処理部１８は、携帯電話機としての処理を行う。例えば、電話処理部１８は、基地局との間で発着信処理を行って通話処理やインターネット接続処理等を行う。
【００２０】
メモリ２０は、制御部１２によって実行される制御プログラムや、携帯情報端末として動作する際に必要な各種のアプリケーションプログラムを格納する。本実施形態では、自車位置周辺の地図表示や経路探索・誘導、交差点案内（走行案内）等のナビゲーション処理を行うアプリケーションプログラムである地図アプリケーション（以後、「地図アプリ」と称する）２１が格納されている。また、地図アプリ２１を実行することにより自車位置周辺の地図表示等を行うために、携帯端末装置１０Ａの位置情報を取得する必要があり、制御部１２は、メモリ２０に格納された位置情報取得用の制御プログラムを実行することによりこの位置情報を取得する。この位置情報取得は、現在のＧＰＳ機能付きの携帯電話において広く行われているものであり、ＧＰＳ衛星からの信号を受信して位置を測位することにより実現される。
【００２１】
また、上述した自車位置周辺の地図表示や経路探索等の処理を行うために自車位置周辺あるいは自車位置周辺から目的地までの間の地図データや交差点案内を行うための地図データなどが必要になるが、本実施形態では、上記の処理に必要な地図データをその都度地図配信サーバ９０から取得するようになっている。携帯端末装置１０Ａと地図配信サーバ９０はインターネット経由で接続可能であり、自車位置の移動に伴って、あるいは、新たな経路探索が行われる際に、地図配信サーバ９０から携帯端末装置１０Ａに対して必要な地図データが配信される。
【００２２】
ＵＳＢインタフェース部２２は、ＵＳＢデバイス（ターゲット）としての携帯端末装置１０ＡとＵＳＢホストとしての車載装置５０との間で接続線としてのＵＳＢケーブル４０を介して信号の入出力を行うためのものであり、ＵＳＢターゲットコントローラを含んでいる。
【００２３】
充電回路２４は、ＵＳＢケーブル４０を介して車載装置５０から供給される電力を用いて二次電池２６を充電する。電源回路２８は、二次電池２６が接続されており、携帯端末装置１０Ａ内の各構成に動作電力を供給する。
【００２４】
上述した携帯端末装置１０Ａは、車載装置５０が接続されていない状態で地図アプリ２１を起動して表示部１６に自車位置周辺の地図表示を行ったり、経路探索処理を行って自車位置から目的地（操作部１４を用いて設定される）までの走行経路を求めたり、この走行経路に沿って経路誘導（走行案内）を行ったりすることができる。また、車載装置５０がＵＳＢケーブル４０を介して接続された場合には、表示部１６を用いて行っていた地図表示や経路誘導等に必要な地図データ（表示に必要な描画データや走行経路、交差点案内に必要なデータ）を車載装置５０に送って、車載装置５０側で同様の地図表示等を行うことが可能となる。
【００２５】
携帯端末装置１０Ｂは、携帯端末装置１０Ａと同様に、地図アプリを実行することにより、自車位置周辺の地図表示を行ったり、経路探索処理を行って自車位置から目的地までの走行経路を求めたり、この走行経路に沿って経路誘導を行ったりすることができる。携帯端末装置１０Ｂは、同じ種類のＯＳ１３あるいは異なるＯＳ１３が用いられているが、その他の基本構成は携帯端末装置１０Ａと同じかあるいは類似しており、詳細な説明は省略する。
【００２６】
なお、携帯端末装置１０Ａ、１０Ｂのそれぞれに備わった地図アプリは、必ずしも同一である必要はなく、類似の処理が行えればよい。例えば、利用者を目的地まで導くために地図表示や経路誘導などを行う機能が共通していれば、表示される地図画像や交差点案内画像の内容や表示形態が異なっていてもよい（本実施形態ではこのような状態を「類似」と称している）。
【００２７】
また、本実施形態では、１本のＵＳＢケーブル４０を介して携帯端末装置１０Ａ、１０Ｂと選択的な接続が行われる。したがって、ＵＳＢケーブル４０を介して携帯端末装置１０Ａが接続されているときに、充電のために携帯端末装置１０ＢをＵＳＢケーブル４０に接続したい場合には、携帯端末装置１０Ａの接続を解除する必要がある。
【００２８】
図２は、車載装置５０の詳細構成を示す図である。図１に示すように、車載装置５０は、ＡＭラジオチューナ６０、ＦＭラジオチューナ６２、ＡＶ処理部６４、表示処理部７０、ＬＣＤユニット７２、タッチパネル７４、タッチパネル制御部７６、操作部７８、入力処理部８０、デジタル−アナログ変換器（Ｄ／Ａ）８２、スピーカ８４、ＵＳＢインタフェース部（ＵＳＢ  Ｉ／Ｆ）８６、メモリ８８、制御部９０を備えている。
【００２９】
ＡＭラジオチューナ６０は、ＡＭ放送の番組を受信し、番組内容に対応する音声を再生する処理を行う。ＦＭラジオチューナ６２は、ＦＭ放送の番組を受信し、番組内容に対応する音声を再生する処理を行う。ＡＶ処理部６４は、圧縮されてハードディスク装置やメモリ８８等に記憶されている音楽データや映像データを読み出して再生する処理を行う。
【００３０】
表示処理部７０は、ＡＭラジオチューナ６０、ＦＭラジオチューナ６２、ＡＶ処理部６４のそれぞれの動作に対応する動作画面と操作画面の少なくとも一方を表示する映像信号を生成してＬＣＤユニット７２にこれらの画面を表示する。ＬＣＤユニット７２は、運転席と助手席の中央前方に配置されている。
【００３１】
タッチパネル７４は、ＬＣＤユニット７２の表示画面の表面に配置されている。タッチパネル制御部７６は、タッチパネル７４を用いて位置検出を行うために必要な制御を行う。タッチパネル７４とタッチパネル制御部７６によって、例えば静電容量方式で位置検出を行う位置検出装置が構成されている。ＬＣＤユニット７２に各種の操作画面が表示された時点で、この操作画面の一部を利用者が指などで直接指し示すことにより、操作画面に含まれるいずれかの表示項目を選択することができるようになっており、このような操作画面を用いた操作を可能とするために、指し示された指などの位置を検出するタッチパネル７４が備わっている。
【００３２】
操作部７８は、車載装置５０に対する利用者による操作を受け付けるためのものであり、ＬＣＤユニット７２の周囲に配置された各種の操作キー、操作スイッチ、操作つまみ等を含んで構成されている。入力処理部８０は、操作部７８を用いた操作内容やタッチパネル制御部７６による検出内容を監視しており、利用者の操作内容を決定する。
【００３３】
デジタル−アナログ変換器８２は、ＡＭラジオチューナ６０、ＦＭラジオチューナ６２、ＡＶ処理部６４のそれぞれの処理によって生成される音声データや音楽データをアナログの音声信号に変換してスピーカ８４から出力する。なお、実際には、デジタル−アナログ変換器８２とスピーカ８４の間には信号を増幅する増幅器が接続されているが、図２ではこの増幅器は省略されている。また、デジタル−アナログ変換器８２とスピーカ８４との組合せは再生チャンネル数分備わっているが、図２では一組のみが図示されている。
【００３４】
ＵＳＢインタフェース部８６は、ＵＳＢホストとしての車載装置５０とＵＳＢデバイスとしての携帯端末装置１０との間で信号の入出力を行うためのものであり、ＵＳＢホストコントローラを含んでいる。メモリ８８は、携帯端末装置１０Ａの処理を他の携帯端末装置１０Ｂに引き継ぐ際に必要な継続情報を格納する。
【００３５】
制御部９０は、車載装置５０の全体を制御するためのものであり、ＲＯＭやＲＡＭなどに格納された所定のプログラムをＣＰＵで実行することにより、以下に示す各構成の動作が実現される。この制御部９０は、ＡＭラジオ制御部９１、ＦＭラジオ制御部９２、ＡＶ制御部９３、継続情報取得部９４、機種判定部９５、継続情報変換部９６、処理継続指示部９７、地図データ取得部９８、表示描画部９９を備えている。
【００３６】
ＡＭラジオ制御部９１は、ＡＭラジオチューナ６０によるＡＭ放送波の受信動作を制御する。この制御には、ＡＭ放送局の切り替え（受信周波数変更）や、この切り替えのための操作画面の生成などが含まれる。
【００３７】
ＦＭラジオ制御部９２は、ＦＭラジオチューナ６２によるＦＭ放送波の受信動作を制御する。この制御には、ＦＭ放送局の切り替え（受信周波数変更）や、この切り替えのための操作画面の生成などが含まれる。
【００３８】
ＡＶ制御部９３は、ＡＶ処理部６４による音楽や映像の再生動作を制御する。この制御には、再生対象となる音楽や映像の切り替えや、この切り替えのための操作画面の生成などが含まれる。
【００３９】
継続情報取得部９４は、携帯端末装置１０Ａにおいて実行中の処理（地図表示等）を、携帯端末装置１０Ｂで継続する場合に必要な継続情報を取得する。継続情報取得の具体例としては、継続情報取得部９４から携帯端末装置１０Ａ内の制御部１２に対して問い合わせを行って取得する場合の他、携帯端末装置１０Ａ内の制御部１２から車載装置５０に対して定期的に継続情報を通知し、この通知に基づいて取得する場合などが考えられる。取得した継続情報は、メモリ８８に格納される。
【００４０】
また、上述したように、本実施形態では、携帯端末装置１０Ａ、１０Ｂにおいて行われる処理として、地図アプリ２１を実行することにより行われる地図表示処理や目的地までの車両の走行経路を案内する経路案内処理を想定しており（これらの処理の一方でもよい）、この場合の継続情報の具体例としては、地図表示処理については地図表示の際の表示縮尺を示す情報が含まれ、目的地までの経路案内処理については目的地や経由地を示す情報やこれらに加えて目的地までの走行経路を示す情報が含まれる。
【００４１】
機種判定部９５は、ＵＳＢケーブル４０を介した携帯端末装置１０Ａとの間の接続が切断された後に携帯端末装置１０Ｂが接続されたときに、携帯端末装置１０Ａ、１０Ｂの機種の相違を判定する。例えば、携帯端末装置１０Ａ等が接続されたときに、電話番号と使用しているＯＳが機種情報として取得され、この機種情報を用いて機種の相違が判定される。なお、電話番号が異なっていてもＯＳが同じであれば、同じデータ形式の継続情報を用いて処理を継続することができるため、機種の相違を判定する機種情報としてＯＳのみを含ませ、ＯＳの異同に応じて機種の相違を判定するようにしてもよい。また、異なるＯＳの例としては、例えば、Ａｎｄｒｏｉｄ（アンドロイド、登録商標）やｉＯＳ（アイオーエス、登録商標）などが考えられるが、これら以外であってもよい。
【００４２】
継続情報変換部９６は、機種判定部９５によって異なる機種である旨の判定が行われたときに、継続情報取得部９４に格納された継続情報（第１の継続情報）を、新たに接続された携帯端末装置１０Ｂの機種（具体的にはＯＳ）に対応する継続情報（第２の継続情報）に変換する。
【００４３】
処理継続指示部９７は、機種判定部９５によって異なる機種である旨の判定が行われたときに、継続情報変換部９６による変換で得られた継続情報（第２の継続情報）を携帯端末装置１０Ｂに向けて送信するとともに、接続切断前に携帯端末装置１０Ａによって実行中の処理の継続を携帯端末装置１０Ｂに対して指示する。
【００４４】
また、処理継続指示部９７は、機種判定部９５によって同じ機種である旨の判定が行われたときに、継続情報取得部９４によって取得されてメモリ８８に格納されている継続情報（第１の継続情報）を読み出して携帯端末装置１０Ｂに向けて送信するとともに、接続切断前に携帯端末装置１０Ａによって実行中の処理の継続を携帯端末装置１０Ｂに対して指示する。
【００４５】
具体的には、それまで携帯端末装置１０Ａによって地図表示処理や経路案内処理の各処理が実行中である場合を想定しており、処理継続指示部９７は、携帯端末装置１０Ｂに対して、継続情報取得部９４によって取得した、あるいは継続情報変換部９６によって変換した継続情報を送るとともに、この継続情報を使った同じあるいは類似の処理（地図表示処理や経路案内処理）の実行を指示する。この指示を受け取った携帯端末装置１０Ｂ内の制御部１２は、メモリ２０に格納された地図アプリ２１を実行し、継続情報に基づいて、同じ表示縮尺の地図表示処理や、同じ目的地、経由地の走行経路に沿った経路案内処理を継続する。
【００４６】
地図データ取得部９８は、携帯端末装置１０Ａ、１０Ｂから処理結果としての地図表示や経路案内等に必要な地図データ（表示に必要な描画データや走行経路、交差点案内に必要なデータ）を取得する。表示描画部９９は、地図データ取得部９８によって取得した地図データを用いて、自車位置周辺の地図や経路案内に必要な走行経路や交差点案内の各画像を描画する。この描画データは表示処理部７０に送られ、ＬＣＤユニット７２に地図や走行経路等が表示される。
【００４７】
上述したＵＳＢインタフェース部８６が接続手段に、継続情報取得部９４が継続情報取得手段に、機種判定部９５が機種判定手段に、継続情報変換部９６が継続情報変換手段に、処理継続指示部９７が処理継続指示手段にそれぞれ対応する。
【００４８】
本実施形態の車載システムはこのような構成を有しており、次にその動作を説明する。図３は、車載装置５０の動作手順を示す流れ図であり、携帯端末装置１０Ａと連携した処理の途中で、電池残量が少なくなった携帯端末装置１０Ｂを接続してこの携帯端末装置１０Ｂに対して充電を行いつつ同じあるいは類似する処理を継続する場合の動作手順が示されている。
【００４９】
車載装置５０に接続された携帯端末装置１０Ａによる地図表示処理と経路案内処理が開始された後（ステップ１００）、継続情報取得部９４は携帯端末装置１０Ａの処理を継続する場合に必要な継続情報を取得し、メモリ８８に格納する（ステップ１０２）。
【００５０】
次に、機種判定部９５は、携帯端末装置１０Ａとの間のＵＳＢケーブル４０を介した接続が解除されたか否かを判定する（ステップ１０４）。接続情報が継続している場合には否定判断が行われ、この判定が繰り返される。
【００５１】
また、接続が解除された場合（携帯端末装置１０ＡがＵＳＢケーブル４０から取り外された場合）にはステップ１０４の判定において肯定判断が行われる。次に、機種判定部９５は、切断解除から所定時間が経過したか否かを判定する（ステップ１０６）。所定時間が経過した場合には肯定判断が行われ、処理継続に関する一連の処理を終了する。
【００５２】
また、接続解除から所定時間が経過していない場合にはステップ１０６の判定において否定判断が行われる。次に、機種判定部９５は、ＵＳＢケーブル４０に携帯端末装置１０Ｂが接続されか否かを判定する（ステップ１０８）。接続されない場合には否定判断が行われ、ステップ１０６に戻って所定時間経過の判定が繰り返される。
【００５３】
また、所定時間経過前にＵＳＢケーブル４０に携帯端末装置１０Ｂが接続された場合にはステップ１０８の判定において肯定判断が行われる。その後、接続された携帯端末装置１０Ｂに対して電力供給が行われ、充電が開始される（ステップ１１０）。
【００５４】
また、機種判定部９５は、接続された携帯端末装置１０Ｂの機種は、前回接続されていた携帯端末装置１０Ａの機種と同じか否かを判定する（ステップ１１２）。例えば、この判定はＯＳの異同に基づいて行われる。機種が異なる場合には否定判断が行われる。次に、継続情報変換部９６は、携帯端末装置１０Ａから取得してメモリ８８に格納されている継続情報を読み出し（ステップ１１４）、新たに接続された携帯端末装置１０Ｂの機種（ＯＳ）に合わせて継続情報を変換する（ステップ１１６）。
【００５５】
次に、処理継続指示部９７は、変換された継続情報を用いて携帯端末装置１０Ｂに対して処理の継続を指示する（ステップ１２０）。なお、携帯端末装置１０Ｂにおいて既に地図アプリが起動されている場合には、目的地を指定して地図表示や経路案内を指示すればよいが、地図アプリが起動されていない場合にはこれらの指示の前に地図アプリの起動を指示する必要がある。
【００５６】
一方、機種が同じ場合にはステップ１１２の判定において肯定判断が行われる。次に、処理継続指示部９７は、メモリ８８に格納された継続情報を読み出し（ステップ１１８）、この読み出した継続情報を用いて携帯端末装置１０Ｂに対して処理の継続を指示する（ステップ１２０）。このようにして、処理継続に関する一連の処理を終了する。
【００５７】
このように、本実施形態の車載装置５０では、ＵＳＢケーブル４０を介して接続された携帯端末装置を変更したときにそれらの機種の異同を判定し、機種が異なる場合に変更後の機種に合わせて継続情報を変換し、変更後の携帯端末装置によって処理を継続するようにしている。このため、充電を行うために携帯端末装置を変更した際に、同種の処理を継続する場合であっても、同じ内容の情報の再設定を行うなどの煩雑な操作が不要となる。
【００５８】
また、同じ機種の携帯端末装置に切り替えた場合には、切り替え前に取得してメモリ８８に格納しておいた継続情報を読み出して、切替後の携帯端末装置で用いることができるため、継続情報の変換が不要であって、必要に応じて処理の簡略化が可能となる。
【００５９】
また、各携帯端末装置で使用しているＯＳに基づいて機種の相違を判定することにより、使用するＯＳが異なる携帯端末装置を充電するために接続を変更した場合であっても、煩雑な操作を行うことなく同様の処理を継続することが可能となる。
【００６０】
また、接続前に携帯端末装置１０Ａによって実行中の処理として、地図アプリケーションを実行することにより行われる地図表示処理や目的地までの車両の走行経路を案内する処理を対象とすることにより、地図表示や走行経路案内を行っている携帯端末装置１０Ａの接続を切って、充電のために異なる機種の携帯端末装置１０Ｂを接続した場合に、煩雑な操作を行うことなく地図表示や走行経路案内を継続することが可能となる。
【００６１】
また、携帯端末装置１０Ａとの間の接続が切断された後に携帯端末装置１０Ｂが接続されるまでの時間が所定時間以内の場合に、携帯端末装置１０Ｂに対して処理の継続指示を行っている。携帯端末装置１０Ａの接続を切ってから別の携帯端末装置１０Ｂに切り替えるまでの時間が長いと、処理の継続を希望していないと考えることもできる。このような場合に、別の携帯端末装置１０Ｂを接続した際に、処理の継続を中止する煩雑な操作が不要となる。
【００６２】
なお、本発明は上記実施形態に限定されるものではなく、本発明の要旨の範囲内において種々の変形実施が可能である。例えば、上述した実施形態では、携帯端末装置１０Ａを接続中に、充電の必要が生じた携帯端末装置１０Ｂを接続する場合を想定しているが、この接続切り替えに際して、同時にＵＳＢケーブル４０も機種に合わせて変更するようにしてもよい。例えば、機種毎に異なる仕様のＵＳＢケーブル４０が用いられる場合には、携帯端末装置の接続切り替え時にＵＳＢケーブル４０も変更する必要がある。
【００６３】
また、充電するために携帯端末装置１０Ｂを接続し、この充電が終了した後に、再度元の携帯端末装置１０Ａあるいはそれら以外の携帯端末装置に接続切り替えを行う場合を考慮するようにしてもよい。
【００６４】
図４は、車載装置５０の変形例の動作手順を示す流れ図である。図４に示す動作手順は、図３に示すステップ１２０の次（図３においてＡで示された位置）に実施されるものであり、以下ではこれらの追加された動作手順に着目して説明を行うものとする。
【００６５】
接続切り替え後の携帯端末装置１０Ｂに対して処理継続の指示が行われた後（ステップ１２０）、機種判定部９５は、携帯端末装置１０Ｂとの間のＵＳＢケーブル４０を介した接続が解除されたか否かを判定する（ステップ１２２）。接続情報が継続している場合には否定判断が行われ、この判定が繰り返される。
【００６６】
また、接続が解除された場合（携帯端末装置１０ＢがＵＳＢケーブル４０から取り外された場合）にはステップ１２２の判定において肯定判断が行われる。次に、機種判定部９５は、ＵＳＢケーブル４０に他の携帯端末装置が接続されか否かを判定する（ステップ１２４）。接続されない場合には否定判断が行われ、この判定が繰り返される。
【００６７】
また、他の携帯端末装置が接続された場合にはステップ１２４の判定において肯定判断が行われる。その後、接続された携帯端末装置に対して電力供給が行われ、充電が開始される（ステップ１２６）。
【００６８】
また、機種判定部９５は、接続された携帯端末装置は、元の携帯端末装置１０Ａと同じか否かを判定する（ステップ１２８）。同じ場合には肯定判断が行われ、ステップ１１８（図３）に移行して、メモリ８８から継続情報が読み出されて、この元の携帯端末装置１０Ａに対して処理の継続が指示される（ステップ１２０）。
【００６９】
一方、元の携帯端末装置１０Ａ以外の携帯端末装置が接続された場合にはステップ１２８の判定において否定判断が行われる。この場合には、ステップ１１２（図３）に移行して、異種の異同判定以降の処理が繰り返される。このように、携帯端末装置１０Ｂの充電終了等の後に、最初に接続されていた元の携帯端末装置１０Ａが再び接続された場合に、最初に接続されていたときの同様の処理を、煩雑な操作を行うことなく再開することが可能となる。
【産業上の利用可能性】
【００７０】
上述したように、本発明によれば、接続先の携帯端末装置を変更したときのそれらの機種の異同を判定し、機種が異なる場合に変更後の機種に合わせて継続情報を変換し、変更後の携帯端末装置によって処理を継続するようにしている。このため、充電を行うために携帯端末装置を変更した際に、同種の処理を継続する場合であっても、同じ内容の情報の再設定を行うなどの煩雑な操作が不要となる。
【符号の説明】
【００７１】
１０Ａ、１０Ｂ  携帯端末装置
４０  ＵＳＢケーブル
５０  車載装置
８６  ＵＳＢインタフェース部（ＵＳＢ  Ｉ／Ｆ）
８８  メモリ
９０  制御部
９４  継続情報取得部
９５  機種判定部
９６  継続情報変換部
９７  処理継続指示部
９８  地図データ取得部
９９  表示描画部
【図１】
0006416019.tif 000002
【図２】
0006416019.tif 000003
【図３】
0006416019.tif 000004
【図４】
0006416019.tif 000005